(57)【要約】【課題】印刷用紙サイズに応じた読取、フチ有り印刷の場合の印刷保証範囲の事前確認を可能にし、フチ無し印刷の場合の読取画像の欠損を防止する。【解決手段】原稿を読み取って画像データを生成する画像処理装置と、前記画像処理装置に接続された上位装置から構成される画像処理システムにおいて、前記上位装置の第二の制御部は、指定部で指定された印刷用紙サイズに該当する第一の枠線と、前記第一の枠線内で印刷保証サイズを示す第二の枠線と、前記第一の枠線内を印刷する際に、印刷ずれにより用紙外となる可能性のある第三の枠線との三つの枠線のうちいずれか一つの枠線を、指定部で指定された範囲選択条件に基づき、表示部に表示する。【選択図】      図１６
2015029222.tif 000002
【特許請求の範囲】
【請求項１】
原稿を読み取って画像データを生成する画像処理装置と、前記画像処理装置に接続された上位装置から構成される画像処理システムにおいて、
前記画像処理装置は、
画像データ入力部と、
前記上位装置と通信するための第一の通信部と、
入力された画像データを蓄積する第一の画像記憶部と、
設定情報を記憶する第一の設定記憶部と、
前記画像データ入力部、第一の通信部、第一の画像記憶部及び第一の設定記憶部を統括して制御する第一の制御部とを備え、
前記上位装置は、
前記画像処理装置と通信するための第二の通信部と、
前記画像処理装置から受信した読取画像データを記憶する第二の画像記憶部と、
印刷用紙サイズ、印刷保証サイズ、印刷ずれ量を記憶する印刷サイズ記憶部と、
前記第二の画像記憶部に蓄積された読取画像データを拡大または縮小した画像と前記画像の切り取り範囲を指定する枠線とを表示する表示部と、
前記表示部に表示された画像データの用紙サイズおよび範囲選択条件を指定する指定部と、
設定情報を記憶する第二の設定記憶部と、
第二の通信部と第二の画像記憶部と表示部と指定部と第二の設定記憶部とを統括して制御する第二の制御部とを備え、
前記上位装置において、前記第二の制御部は、
前記指定部で指定された印刷用紙サイズに該当する第一の枠線と、前記第一の枠線内で印刷保証サイズを示す第二の枠線と、前記第一の枠線内を印刷する際に、印刷ずれにより用紙外となる可能性のある第三の枠線との三つの枠線のうちいずれか一つの枠線を、前記指定部で指定された範囲選択条件に基づき、前記表示部に表示し、
前記表示部において枠線で選択した範囲を示す位置情報を前記画像処理装置に送信し、
前記画像処理装置においては、
前記位置情報に該当する領域の画像データを読み取り、前記第一の画像記憶部に保存することを特徴とする画像読取システム。
【請求項２】
前記画像データ入力部は、
原稿を読取る読取部を備えることを特徴とする請求項１に記載の画像読取システム。
【請求項３】
前記画像データ入力部は、
撮像装置あるいは記憶媒体とのインターフェース部と、
前記撮像装置あるいは記憶媒体から前記インターフェース部を介して画像データを取得する画像データ取得部とを備えることを特徴とする請求項１に記載の画像読取システム。
【請求項４】
前記画像処理装置は、前記第一の画像記憶部に蓄積された画像データを印刷する印刷部を備えることを特徴とする請求項１に記載の画像読取システム。
【発明の詳細な説明】
【技術分野】
【０００１】
この発明は、上位装置と画像読取装置とからなる画像読取システムに関するものである。
【背景技術】
【０００２】
パーソナルコンピュータ等の上位装置と画像読取装置とからなる画像読取システムにおいて、前記上位装置が、ユーザの指定に基づき、読取処理を行う読取範囲を設定する。そして、前記画像読取装置は、前記上位装置で設定した読取範囲に基づき、この読取範囲に対する読取処理を行い、画像を取得する従来技術が知られている。
【０００３】
このような画像読取システムとしては特許文献１に記載のものがある。
【先行技術文献】
【特許文献】
【０００４】
【特許文献１】特開２００９−２１２５５６号公報
【発明の概要】
【発明が解決しようとする課題】
【０００５】
従来技術は、以下に述べる問題がある。
【０００６】
読取原稿が印刷用紙サイズよりも大きい場合においては、読取原稿のうち特定の印刷用紙サイズの範囲のみ指定して読取ることはできない。そのため、読取原稿の特定領域が読取範囲に収まるように手動で調整するなどの手間が生じる。
【０００７】
また、フチ有り印刷の場合においては、読取画像の印刷時にはフチ領域が自動挿入されるにも関わらず、読取範囲の指定時にはフチ領域を除いて読取範囲を指定することができない。このため、読取画像の印刷の際に、本来印刷したい描画領域に欠損が生じ、所望の印刷結果を得られないことがある。
【０００８】
また、フチ無し印刷の場合においては、印刷ずれの発生を回避することが出来ないイレギュラーな設置環境下においては、印刷ずれが発生すると、読取画像の印刷時の際に、本来印刷したい描画領域に欠損が生じ、所望の印刷結果を得られないことがある。
【課題を解決するための手段】
【０００９】
本発明に係る画像処理システムは、原稿を読み取って画像データを生成する画像処理装置と、前記画像処理装置に接続された上位装置から構成される画像処理システムにおいて、前記画像処理装置は、画像データ入力部と、前記上位装置と通信するための第一の通信部と、入力された画像データを蓄積する第一の画像記憶部と、設定情報を記憶する第一の設定記憶部と、前記画像データ入力部、第一の通信部、第一の画像記憶部及び第一の設定記憶部を統括して制御する第一の制御部とを備え、前記上位装置は、前記画像処理装置と通信するための第二の通信部と、前記画像処理装置から受信した読取画像データを記憶する第二の画像記憶部と、印刷用紙サイズ、印刷保証サイズ、印刷ずれ量を記憶する印刷サイズ記憶部と、前記第二の画像記憶部に蓄積された読取画像データを拡大または縮小した画像と前記画像の切り取り範囲を指定する枠線とを表示する表示部と、前記表示部に表示された画像データの用紙サイズおよび範囲選択条件を指定する指定部と、設定情報を記憶する第二の設定記憶部と、第二の通信部と第二の画像記憶部と表示部と指定部と第二の設定記憶部とを統括して制御する第二の制御部とを備え、前記上位装置において、前記第二の制御部は、前記指定部で指定された印刷用紙サイズに該当する第一の枠線と、前記第一の枠線内で印刷保証サイズを示す第二の枠線と、前記第一の枠線内を印刷する際に、印刷ずれにより用紙外となる可能性のある第三の枠線との三つの枠線のうちいずれか一つの枠線を、前記指定部で指定された範囲選択条件に基づき、前記表示部に表示し、前記表示部において枠線で選択した範囲を示す位置情報を前記画像処理装置に送信し、前記画像処理装置においては、前記位置情報に該当する領域の画像データを読み取り、前記第一の画像記憶部に保存することを特徴とする。
【発明の効果】
【００１０】
印刷用紙サイズに応じた読取範囲の原稿読取が可能となる。また、フチ有り印刷の場合には印刷が保証される範囲の事前確認が可能となる。さらに、フチ無し印刷の場合には印刷ずれが生じたとしても読取画像の印刷範囲の欠損を防止することが可能となる。
【図面の簡単な説明】
【００１１】
【図１】本発明の第１の実施形態に係る画像読取システムを示す機能ブロック図である。
【図２】本発明の第１の実施形態に係る画像読取システムの全体の動作と各フローチャートとの関連を示す図である。
【図３】本発明の第１の実施形態に係る画像読取システムの処理機能を示す第１のフローチャートである。
【図４】本発明の第１の実施形態に係る画像読取システムの処理機能を示す第２のフローチャートである。
【図５】本発明の第１の実施形態に係る画像読取システムの処理機能を示す第３のフローチャートである。
【図６】本発明の第１の実施形態に係る画像読取システムの処理機能を示す第４のフローチャートである。
【図７】本発明の第１の実施形態に係る画像読取システムの処理機能を示す第５のフローチャートである。
【図８】本発明の第１の実施形態に係る画像読取システムの処理機能を示す第６のフローチャートである。
【図９】本発明の第１の実施形態に係る画像読取システムのリモートスキャン画面例を示す模式図である。
【図１０】本発明の第１の実施形態に係る画像読取システムの読取画像の指定有無問い合わせ画面を示す模式図である。
【図１１】本発明の第１の実施形態に係る画像読取システムのスキャン命令データＤ１の例を示す模式図である。
【図１２】本発明の第１の実施形態に係る画像読取システムの画像データＤ２の例を示す模式図である。
【図１３】本発明の第１の実施形態に係る画像読取システムの対応用紙サイズリストの例を示す模式図である。
【図１４】本発明の第１の実施形態に係る画像読取システムの対応指定範囲リストの例を示す模式図である。
【図１５】本発明の第１の実施形態に係る画像読取システムのデフォルト表示設定例を示す模式図である。
【図１６】本発明の第１の実施形態に係る画像読取システムの読取画像の範囲指定画面例を示す模式図である。
【図１７】本発明の第１の実施形態に係る画像読取システムの画像サイズ例を示す模式図である。
【図１８】本発明の第１の実施形態に係る画像読取システムのフチ幅のサイズ例を示す模式図である。
【図１９】本発明の第１の実施形態に係る画像読取システムの印刷ずれ考慮範囲、用紙サイズ及び印刷保証範囲の位置関係を示す模式図である。
【図２０】本発明の第１の実施形態に係る画像読取システムの印刷ずれ幅のサイズ例を示す模式図である。
【図２１】本発明の第１の実施形態に係る画像読取システムの領域指定データ例を示す模式図である。
【図２２】本発明の第１の実施形態に係る画像読取システムの領域指定データ例を示す模式図である。
【図２３】本発明の第２の実施形態に係る画像読取システムを示す機能ブロック図である。
【図２４】本発明の第２の実施形態に係る画像読取システムの全体の動作と各フローチャートとの関連を示す図である。
【図２５】本発明の第２の実施形態に係る画像読取システムの処理機能を示す第１のフローチャートである。
【図２６】本発明の第２の実施形態に係る画像読取システムの処理機能を示す第２のフローチャートである。
【図２７】本発明の第２の実施形態に係る画像読取システムの処理機能を示す第３のフローチャートである。
【図２８】本発明の第２の実施形態に係る画像読取システムの処理機能を示す第４のフローチャートである。
【図２９】本発明の第２の実施形態に係る画像読取システムの処理機能を示す第５のフローチャートである。
【図３０】本発明の第２の実施形態に係る画像読取システムのリモートスキャン画面例を示す模式図である。
【図３１】本発明の第２の実施形態に係る画像読取システムの既存の画像データを指定するか問い合わせる画面例を示す模式図である。
【図３２】本発明の第２の実施形態に係る画像読取システムの画像データを選択する画面例を示す模式図である。
【図３３】本発明の第２の実施形態に係る画像読取システムの領域指定データＤ３の例を示す模式図である。
【図３４】本発明の第２の実施形態に係る画像読取システムの全範囲スキャン完了通知Ｄ４の例を示す模式図である。
【図３５】本発明の第２の実施形態に係る画像読取システムのスキャンデータ保存先の指定画面の例を示す模式図である。
【図３６】本発明の第２の実施形態に係る画像読取システムのスキャンデータ保存命令Ｄ５の例を示す模式図である。
【発明を実施するための形態】
【００１２】
以下に、本発明の実施形態に係る画像読取システムについて説明する。本実施形態の画像読取システムは、印刷用紙サイズに応じた読取範囲の原稿読取を可能とし、フチ有り印刷の場合には印刷が保証される範囲の事前確認を可能とし、さらに、フチ無し印刷の場合には印刷ずれが生じたとしても読取画像の印刷範囲の欠損を防止することを可能にしたものである。
【００１３】
［第１の実施形態］
以下に、本発明の第１の実施形態に係る画像読取システムについて説明する。
【００１４】
（Ａ−１）画像読取システムの構成
本実施形態に係る画像読取システムの構成を図１に基づいて説明する。図１は本実施形態に係る画像読取システムの概略構成を示す機能ブロック図である。本実施形態の画像読取システムは主に、画像読取装置１００と上位装置２００とを備えて構成されている。なお、画像読取システムは、他にも各種の装置を有するが、ここでは説明を簡潔にするために省略する。
【００１５】
画像処理装置１００は、画像データ入力部１０１と、通信部１０２と、画像記憶部１０３と、印刷部１０４と、設定記憶部１０５と、制御部１０６とを備えて構成されている。
【００１６】
画像データ入力部１０１は、読取部としてのスキャナ（図示せず）で原稿を読取ることにより得られる画像データ、またはディジタルカメラ（図示せず）などの外部デバイスに保持された画像データを入力する。なお、スキャナにおいては、このスキャナの原稿パネル（図示せず）上に載置された原稿を読み取ることにより画像データを得る。
【００１７】
画像記憶部１０３は、画像データ入力部１０１で入力された画像データを記憶する。この画像記憶部１０３が、入力された画像データを蓄積する第一の画像記憶部である。前記画像処理装置１００においては、枠線で選択した範囲を示す位置情報に該当する領域の画像データを読み取り、前記第一の画像記憶部としての画像記憶部１０３に保存する。
【００１８】
印刷部１０４は、前記第一の画像記憶部としての画像記憶部１０３に記憶された画像データを印刷する。
【００１９】
設定記憶部１０５は、原稿読取条件や印刷条件などの設定を記憶する。この設定記憶部１０５が、設定情報を記憶する第一の設定記憶部である。
【００２０】
通信部１０２は、ＬＡＮ３００を使用して上位装置２００と通信する。この通信部１０２が、前記上位装置２００と通信するための第一の通信部である。
【００２１】
制御部１０６は、画像データ入力部１０１、通信部１０２、画像記憶部１０３、印刷部１０４、設定記憶部１０５にそれぞれ接続されている。この制御部１０６が、前記画像データ入力部１０１、第一の通信部としての通信部１０２、第一の画像記憶部としての画像記憶部１０３、第一の設定記憶部としての設定記憶部１０５を統括して制御する第一の制御部である。さらに、制御部１０６には、図４，８のフローチャートの処理機能が格納されている。
【００２２】
上位装置２００は、通信部２０１と、画像記憶部２０２と、指定部２０３と、表示部２０４と、設定記憶部２０５とを備えて構成されている。
【００２３】
通信部２０１は、ＬＡＮ３００を使用して画像処理装置１００と通信する。この通信部２０１が、前記画像処理装置１００と通信するための第二の通信部である。
【００２４】
画像記憶部２０２は、通信部２０１を介して画像処理装置１００から受信した画像データを記憶する。この画像記憶部２０２が、前記画像処理装置１００から受信した読取画像データを記憶する第二の画像記憶部である。さらに、画像記憶部２０２は、印刷用紙サイズ、印刷保証サイズ、印刷ずれ量を記憶する印刷サイズ記憶部である。
【００２５】
指定部２０３は、画像記憶部２０２に記憶された画像データ領域の範囲を指定する。この指定部２０３が、前記表示部２０４に表示された画像データの用紙サイズおよび範囲選択条件を指定する指定部である。
【００２６】
表示部２０４は、画像記憶部２０２に記憶された画像データを表示する。この表示部２０４が、前記第二の画像記憶部に蓄積された読取画像データを拡大または縮小した画像と前記画像の切り取り範囲を指定する枠線とを表示する表示部である。
【００２７】
設定記憶部２０５は、プリンタドライバの設定を記憶する。この設定記憶部２０５が、設定情報を記憶する第二の設定記憶部である。
【００２８】
制御部２０６は、通信部２０１、画像記憶部２０２、指定部２０３、表示部２０４、設定記憶部２０５にそれぞれ接続されている。この制御部２０６が、第二の通信部と第二の画像記憶部と表示部と指定部と第二の設定記憶部とを統括して制御する第二の制御部である。さらに、制御部２０６には、図３，５〜７のフローチャートの処理機能が格納されている。
【００２９】
（Ａ−２）動作
以上のように構成された画像読取システムの動作を図３〜８のフローチャート、および図２の全体の動作とフローチャートとの関連を示す図を用いて説明する。具体的には、上位装置２００での動作を図２，３，５〜７に基づいて説明する。画像処理装置１００での動作を図２，４，８に基づいて説明する。
【００３０】
図３のＳ１では、上位装置２００の制御部２０６は、図９に示すリモートスキャン画面を起動させて表示部２０４に表示する。
【００３１】
Ｓ２では、制御部２０６は、リモートスキャン画面でコピー（Ｆ１）、スキャンＴｏＥ−Ｍａｉｌ（Ｆ２）、スキャンＴｏＵＳＢメモリ（Ｆ３）のいずれかの機能ボタンが押下されていずれか一つの機能が指定されたか否かを判定し、いずれか一つの機能が指定された（Ｙｅｓ）ならばＳ３に進む。いずれの機能も指定されていない（Ｎｏ）ならば、指定されるまで待つ。
【００３２】
Ｓ３では、制御部２０６は、図１０に示す読取範囲の指定を行うか否かの問い合わせをする画面を表示部２０４に表示し、この画面でＦ５の“はい”が選択された場合はＳ５に進み、Ｆ６の“いいえ”が選択された場合はＳ４に進む。即ち、読取範囲の指定を行う場合はプレスキャン、読取範囲の指定を行わない場合は本スキャンとなる。
【００３３】
Ｓ４では、制御部２０６は、スキャン命令データＤ１の機能として、Ｓ２で指定された機能名を指定し、さらにスキャン方法に“本スキャン”を指定して、本スキャン命令データを生成し、Ｓ５１に進む。このスキャン命令データＤ１は、図１１に示すように、機能とスキャン方法を少なくとも含む。
【００３４】
Ｓ５では、制御部２０６は、スキャン命令データＤ１の機能として、Ｓ２で指定された機能名を指定し、さらにスキャン方法に“プレスキャン”を指定して、プレスキャン命令データを生成し、Ｓ５１に進む。
【００３５】
Ｓ５１では、制御部２０６は、Ｓ４又はＳ５で生成したスキャン命令データＤ１を、図２に示すように通信部２０１を介して画像処理装置１００に送信する。
【００３６】
続けて画像処理装置１００側の動作について図２，４を基に説明する。
【００３７】
Ｓ６では、画像処理装置１００の通信部１０２は、上位装置２００からのスキャン命令データＤ１を受信する。
【００３８】
Ｓ６１では、制御部１０６は、スキャン命令データＤ１のスキャン方法に“プレスキャン”が指定されているか否かを判定し、ＹｅｓならばＳ７に進み、ＮｏならばＳ９１に進む。
【００３９】
Ｓ７では、画像データ入力部１０１は、最大解像度で原稿パネル全域を読み取る。
【００４０】
Ｓ８では、画像データ入力部１０１は、読取画像データＤ２を作成し、画像記憶部２０２に記憶する。画像データＤ２は、図１２に示すように、Ｘ画素数、Ｙ画素数、画素データを少なくとも含む。
【００４１】
Ｓ９では、制御部１０６は、画像記憶部２０２に記憶された画像データＤ２を、図２に示すように通信部１０２を介して上位装置２００に送信する。
【００４２】
Ｓ９１では、制御部１０６は、スキャン開始座標と終了座標とをマージした領域指定データＤ３を、図２に示すように通信部１０２を介して上位装置２００から画像処理装置１００に送信する。領域指定データＤ３は、図２１に示すように、開始座標と終了座標を少なくとも含む。原稿パネル全面をスキャンするため、原稿パネルサイズを（ＸＭａｘ、ＹＭａｘ）とすると、開始座標（０、０）、終了座標（ＸＭａｘ、ＹＭａｘ）となる。このサイズ及び座標の単位はｍｍである。
【００４３】
続けて上位装置２００側の動作について図２，５〜７を基に説明する。
【００４４】
図５のＳ１０では、上位装置２００の通信部２０１は画像処理装置１００からの画像データＤ２を受信する。
【００４５】
Ｓ１１では、制御部２０６は、画像処理装置１００で対応している用紙サイズのリストをプリンタドライバの設定から取得する。プリンタドライバの設定は設定記憶部２０５に蓄積されている。図１３に示すように、対応用紙サイズのリストには、対応している用紙タイプの名称が記載される。
【００４６】
Ｓ１２では、制御部２０６は、画像処理装置１００で対応している指定範囲のリストをプリンタドライバの設定から取得する。図１４に示すように、対応指定範囲のリストには、対応している範囲項目名が記載される。範囲項目名には、用紙サイズ、印刷保証範囲、印刷ずれ考慮範囲の三つが存在する。「用紙サイズ」は、印刷用紙サイズの範囲であり、実際に印刷する原稿範囲を指定することができる。この「用紙サイズ」が、前記指定部２０３で選択された印刷用紙サイズに該当する第一の枠線である。
【００４７】
「印刷保証範囲」は、フチ有り印刷の際に発生するフチ領域を除いた範囲（印刷保証サイズ）であり、フチ有り印刷の際に実際に印刷する範囲を把握した上で印刷範囲を指定することができる。この「印刷保証範囲」が、前記第一の枠線内で印刷保証サイズを示す第二の枠線である。
【００４８】
「印刷ずれ考慮範囲」は、印刷用紙サイズよりも大きい印刷範囲（印刷ずれ量を考慮したサイズ）であり、フチ無し印刷の際に印刷ずれが発生したとしても実際に印刷する原稿範囲を欠損することなく印刷したい場合に指定することができる。この「印刷ずれ考慮範囲」が、前記第一の枠線内を印刷する際に、印刷ずれにより用紙外となる可能性のある第三の枠線である。なお、プリンタドライバがフチ無し印刷に対応していない場合は、指定範囲リストには印刷ずれ考慮範囲が含まれない。
【００４９】
これら三つの枠線のうちいずれか一つの枠線を、前記指定部２０３で指定された範囲選択条件に基づき、前記表示部２０４に表示する。
【００５０】
Ｓ１３では、制御部２０６は、画像処理装置１００のデフォルト表示設定をプリンタドライバの設定から取得する。デフォルト表示設定は、図１５に示すように、用紙サイズ、選択枠の開始座標の二種類の情報を少なくとも含む。選択枠には、前記範囲項目名として存在する、用紙サイズ、印刷保証範囲、印刷ずれ考慮範囲の三つがある。
【００５１】
Ｓ１４では、制御部２０６は、図１６に示す読取画像の範囲指定画面を表示部２０４に表示する。
【００５２】
Ｓ１５では、制御部２０６は、最大解像度で原稿パネル全域をスキャンした場合に得られる画像のＸ方向およびＹ方向の画素数をプリンタドライバから取得する。図１７に示すように、最大解像度でスキャンした場合に得られる画像サイズは、対応している用紙サイズ毎に保持しているため、画像の種類が“パネル”の場合の画像サイズを取得する。
【００５３】
Ｓ１６では、制御部２０６は、Ｓ１５で取得した原稿パネル全域の画素数を基にして原稿パネル線Ｆ９を表示部２０４に表示する。原稿パネル全域の画素数と表示部２０４の画素数は通常一致しないため、Ａ倍に縮小して表示する。原稿パネル全域の画素数を（Ｘａ、Ｙａ）とすると、表示する原稿パネル線Ｆ９は開始座標（０、０）、終了座標（Ａ・Ｘａ、Ａ・Ｙａ）となる。値Ａは表示部の大きさに依存して決定し、通常、Ａは１より小さくする。
【００５４】
Ｓ１７では、制御部２０６は、読取画像データＤ２を表示部２０４に表示する。読取画像データＤ２の画素数を（Ｘｂ、Ｙｂ）とすると、表示する画像データＦ１０は開始座標（０、０）、終了座標（Ａ・Ｘｂ、Ａ・Ｙｂ）となる。
【００５５】
Ｓ１８では、制御部２０６は、Ｓ１３で取得したデフォルト表示設定を基に表示部２０４の“用紙サイズ”の値を設定、表示する。
【００５６】
図６のＳ１９では、制御部２０６は、Ｓ１８で表示された用紙サイズに相当する画像のＸ方向およびＹ方向の画素数をプリンタドライバから取得する。図１７に示すように、用紙サイズに相当する画像サイズは、対応している用紙サイズ毎に保持しているため、画像の種類がＳ１８で表示された用紙サイズの場合の画像サイズを取得する。
【００５７】
Ｓ２０では、制御部２０６は、表示部２０４に表示された選択枠の指定が“用紙サイズ”であるか否かを判定し、ＹｅｓならばＳ２７に進み、ＮｏならばＳ２１に進む。
【００５８】
Ｓ２１では、制御部２０６は、表示部２０４に表示された選択枠の指定が“印刷保証範囲”であるか否かを判定し、ＹｅｓならばＳ２２に進み、ＮｏならばＳ２４に進む。
【００５９】
Ｓ２２では、制御部２０６は、Ｓ１８で表示された用紙サイズに相当したフチ幅のサイズをプリンタドライバの設定から取得する。フチ幅のサイズは、図１８に示すように、用紙サイズ毎に、Ｔｏｐ、Ｂｏｔｔｏｍ、Ｌｅｆｔ、Ｒｉｇｈｔの値を保持しているため、Ｓ１８で表示された用紙サイズに相当する値を取得する。Ｔｏｐ、Ｂｏｔｔｏｍ、Ｌｅｆｔ、Ｒｉｇｈｔと用紙サイズとの位置関係を図１９に示す。
【００６０】
Ｓ２３では、制御部２０６は、Ｓ２２で取得したフチ幅に基づいて、Ｓ１８で表示された用紙サイズに相当した印刷保証範囲のサイズを計算する。図１９の用紙サイズ５０２の画素数を（Ｘｃ、Ｙｃ）、フチ幅の画素数（Ｔｏｐ、Ｂｏｔｔｏｍ、Ｌｅｆｔ、Ｒｉｇｈｔ）を（Ｔｅ、Ｂｅ、Ｌｅ、Ｒｅ）とすると、印刷保証範囲５０３のサイズは（Ｘｃ−Ｌｅ−Ｒｅ、Ｙｃ−Ｔｅ−Ｂｅ）となる。次いで、Ｓ２７に進む。
【００６１】
Ｓ２４では、制御部２０６は、表示部２０４に表示された選択枠の指定が“印刷ずれ考慮範囲”であるとして、Ｓ２５に進む。Ｓ２０で選択枠の指定が“用紙サイズ”でないと判定し、Ｓ２１で“印刷保証範囲”でないと判定したため、選択枠の指定は“印刷ずれ考慮範囲”となる。
【００６２】
Ｓ２５では、制御部２０６は、用紙サイズに相当した印刷ずれ幅のサイズを、プリンタドライバの設定から取得する。印刷ずれ幅のサイズは、図２０に示すように、用紙サイズ毎に、Ｔｏｐ、Ｂｏｔｔｏｍ、Ｌｅｆｔ、Ｒｉｇｈｔの値を保持しているため、特定の用紙サイズに相当する値を取得する。Ｔｏｐ、Ｂｏｔｔｏｍ、Ｌｅｆｔ、Ｒｉｇｈｔと用紙サイズとの位置関係を図１９に示す。
【００６３】
Ｓ２６では、制御部２０６は、Ｓ２５で取得した印刷ずれ幅に基づいて、用紙サイズに相当した印刷ずれ考慮範囲５０１のサイズを計算する。用紙サイズ５０２の画像数を（Ｘｃ、Ｙｃ）、印刷ずれ幅の画素数（Ｔｏｐ、Ｂｏｔｔｏｍ、Ｌｅｆｔ、Ｒｉｇｈｔ）を（Ｔｍ、Ｂｍ、Ｌｍ、Ｒｍ）とすると、印刷保証範囲５０３のサイズは（Ｘｃ＋Ｌｍ＋Ｒｍ、Ｙｃ＋Ｔｍ＋Ｂｍ）となる。
【００６４】
Ｓ２７では、制御部２０６は、表示部２０４に選択枠Ｆ１１を表示する。表示する選択枠は、Ｓ２３またはＳ２６で計算した値をＳ１６と同様に縮小したものである。
【００６５】
ユーザは、図１６に示す、表示部２０４に表示された範囲指定画面を操作する。そして、ユーザが操作した後に、図７のフローチャートの処理機能が起動する。
【００６６】
Ｓ２８では、制御部２０６は、表示部２０４に表示された読取画像の範囲指定画面内の“用紙サイズ”の指定内容が変更されたか否かを判定し、ＹｅｓならばＳ１９に戻って前記Ｓ２７までの処理を繰り返して、選択枠Ｆ１１を再描画して、ユーザによる指定を待つ。ＮｏならばＳ２９に進む。
【００６７】
Ｓ２９では、制御部２０６は、表示部２０４に表示された読取画像の範囲指定画面内の選択枠の指定内容が変更されたか否かを判定し、ＹｅｓならばＳ１９に進み、選択枠Ｆ１１を再描画して、ユーザによる指定を待つ。ＮｏならばＳ３０に進む。
【００６８】
Ｓ３０では、制御部２０６は、表示部２０４に表示された読取画像の範囲指定画面内でキャンセルが押下されたか否かを判定し、Ｙｅｓならば読取画像の範囲措定画面を閉じて終了する。ＮｏならばＳ３１に進む。
【００６９】
Ｓ３１では、制御部２０６は、表示部２０４に表示された読取画像の範囲指定画面内でＯＫが押下されたことを確認して、Ｓ３２に進む。
【００７０】
Ｓ３２では、制御部２０６は、表示部２０４に表示された読取画像の範囲指定画面内の選択枠Ｆ１１の開始座標（Ａ・Ｘｓ、Ａ・Ｙｓ）を取得する。
【００７１】
Ｓ３３では、制御部２０６は、表示部２０４に表示された読取画像の範囲指定画面内の選択枠Ｆ１１の終了座標（Ａ・Ｘｅ、Ａ・Ｙｅ）を取得する。
【００７２】
Ｓ３４では、制御部２０６は、選択枠Ｆ１１の開始座標（Ａ・Ｘｓ、Ａ・Ｙｓ）と終了座標（Ａ・Ｘｅ、Ａ・Ｙｅ）を１／Ａに拡大した開始座標（Ｘｓ、Ｙｓ）と終了座標（Ｘｅ、Ｙｅ）をマージした領域指定データＤ６を、通信部２０１を介して画像処理装置１００に送信する（図２参照）。領域指定データＤ６は図２２に示すように、開始座標と終了座標を少なくとも含む。
【００７３】
続けて画像処理装置１００側の動作について図２，８を基に説明する。
【００７４】
Ｓ３５では、画像処理装置１００の通信部１０２は領域指定データＤ３又はＤ６を受信する。
【００７５】
Ｓ３６では、画像データ入力部１０１は、領域指定データＤ３又はＤ６に含まれる開始座標（Ｘｓ、Ｙｓ）から終了座標（Ｘｅ、Ｙｅ）までの範囲を原稿パネル上で読み取る。
【００７６】
Ｓ３７では、制御部１０６は、Ｓ６で受信したスキャン命令Ｄ１で指定された機能を実行し、読取画像データを印刷する。
【００７７】
（Ａ−３）効果
以上のように、本実施形態に係る画像読取システムでは、読取原稿が印刷用紙サイズよりも大きい場合でも、印刷用紙サイズに応じた読取範囲の原稿読取を行うことが可能となる。
【００７８】
また、フチ有り印刷の場合には，印刷が保証される範囲を事前に確認することにより，所望の印刷結果を得ることが可能となる。
【００７９】
さらに、フチ無し印刷の場合には、印刷ずれが生じたとしても、読取画像の印刷範囲の欠損を防止することが可能となる。
【００８０】
［第２の実施形態］
次に、本発明の第２の実施形態に係る画像読取システムについて説明する。
【００８１】
（Ｂ−１）構成
本実施形態の画像読取システムの全体構成は、上述した第１の実施形態の画像読取システムとほぼ同様であるため、同一部材及び同一処理には同一符号を付して、その説明を省略する。
【００８２】
本実施形態の画像処理装置１００は、図２３に示すように、第１の実施形態の画像処理装置１００に加えて、外部デバイス４００と接続するインターフェース部１０７を有する。
【００８３】
外部デバイス４００はＬＡＮ３００またはインターフェース部１０７を介して画像処理装置１００および上位装置２００と接続される。この外部デバイス４００は、ファイルサーバなどの記憶装置（記憶媒体）やディジタルカメラなどの撮像装置である。
【００８４】
制御部１０６は、前記撮像装置あるいは前記記憶媒体から前記インターフェース部１０７を介して画像データを取得する画像データ取得部として機能する。
【００８５】
（Ｂ−２）動作
本発明の動作をフローチャート、および全体の動作とフローチャートとの関連図を利用して説明する。図１〜図２１の実施例１との相違点のみ記載する。
【００８６】
図２４は全体の動作とフローチャートとの関連図を示す。上位装置２００での動作を図２５、２６、２８に示す。画像処理装置１００での動作を図２７、２８に示す。
【００８７】
以上のように構成された画像読取システムの動作を図２５〜２９のフローチャート、および図２４の全体の動作とフローチャートとの関連を示す図を用いて説明する。
【００８８】
図２５のＳ１〜Ｓ２は第１の実施形態と同様である。
【００８９】
Ｓ２０１では、上位装置２００の制御部２０６は、図３０に示すリモートスキャン画面で全範囲スキャンが押下されたか否かを判定し、ＹｅｓならばＳ４に進み、ＮｏならばＳ２０２に進む。
【００９０】
Ｓ２０２では、制御部２０６は、図３１に示す既存の画像データを指定するか否かを問い合わせる画面を表示部２０４に表示し、ＹｅｓならばＳ２０３に進み、ＮｏならばＳ３に進む。
【００９１】
Ｓ２０３では、制御部２０６は、図３２に示す既存の画像データを選択する画面を表示部２０４に表示し、画像データが指定されるとＳ２０４に進む。既存の画像データは外部デバイス４００に格納されている。
【００９２】
Ｓ２０４では、制御部２０６は、通信部２０１を介してＳ２０３で指定した画像データを外部デバイス４００から取得し、Ｓ１１に進む。その後、第１の実施形態と同様に、Ｓ１０〜３５の処理を行う。
【００９３】
一方、Ｓ２０２でＮｏのときは、第１の実施形態と同様に、Ｓ３〜Ｓ９の処理を行う。
【００９４】
Ｓ９１では、画像処理装置１００の制御部１０６は、開始座標、終了座標、スキャン方法、機能をマージした領域指定データＤ３を、通信部１０２を介して画像処理装置１００に送信する。領域指定データＤ３は、図２１に示すように、開始座標と終了座標を少なくとも含む。
【００９５】
原稿パネル全面をスキャンするため、原稿パネルサイズを（ＸＭａｘ，ＹＭａｘ）とすると、開始座標（０，０）、終了座標（ＸＭａｘ、ＹＭａｘ）となる。このサイズ及び座標の単位はｍｍである。機能にはＳ２で選択した機能名を指定し、スキャン方法には“プレスキャン”または“本スキャン”を指定する。機能名が“全範囲スキャン”の場合はスキャン方法に“スキャンしない”を指定し、Ｓ３５に進む。図３３に示すように、領域指定データＤ３は、開始座標、終了座標、スキャン方法、機能を少なくとも含む。
【００９６】
図２７のＳ３６８では、画像処理装置１００の制御部１０６は、領域指定データＤ３のスキャン方法に“スキャンしない”が指定されているか否かを判定し、ＹｅｓならばＳ３６９に進み、ＮｏならばＳ３６に進む。
【００９７】
Ｓ３６９では、制御部１０６は、顧域指定データＤ３に含まれる開始座標（Ｘｓ、Ｙｓ）から終了座標（Ｘｅ、Ｙｅ）までの範囲を画像データから取り除いた画像データを画像記憶部１０３に記憶し、Ｓ３７に進む。
【００９８】
Ｓ３６では、画像データ入力部１０１は、領域指定データＤ３に含まれる開始座標（Ｘｓ、Ｙｓ）から終了座標（Ｘｅ、Ｙｅ）までの範囲を原稿パネル上で読取り、Ｓ３６１に進む。
【００９９】
Ｓ３６１では、制御部１０６は、領域指定データＤ３の機能に“全範囲スキャン”が指定されているか否かを判定し、ＹｅｓならばＳ３６２に進み、ＮｏならばＳ３７に進む。
【０１００】
Ｓ３６２では、制御部１０６は、全範囲をスキャンし、スキャン完了後に通信部１０２を介して全範囲スキャン完了通知Ｄ４を、図２４のように上位装置２００に送信し、Ｓ３６３に進む。全範囲スキャン完了通知Ｄ４は、図３４に示すように、完了したことを表す情報を少なくとも含む。
【０１０１】
図２８のＳ３６３では、上位装置２００の通信部２０１は、全範囲スキャン完了通知Ｄ４を受信する。
【０１０２】
Ｓ３６４では、制御部２０６は、図３５に示すスキャンデータ保存先の選択画面を表示部２０４に表示し、ユーザによる保存先フォルダとファイル名の指定を待つ。
【０１０３】
Ｓ３６５では、制御部２０６は、通信部２０１を介してスキャンデータ保存命令Ｄ５を、図２４に示すように、画像処理装置１００に送信し、Ｓ３６６に進む。スキャンデータ保存命令Ｄ５は、図３６に示すように保存先パスを少なくとも含む。
【０１０４】
図２９のＳ３６６では、画像処理装置１００の通信部１０２は、スキャンデータ保存命令Ｄ５を受信する。
【０１０５】
Ｓ３６７では、制御部１０６は、スキャンデータ保存命令Ｄ５に含まれる保存先パスにスキャンデータを保存する。
【０１０６】
Ｓ３７では、制御部１０６は、上述した第１の実施形態と同様に、Ｓ６で受信したスキャン命令Ｄ１で指定された機能を実行し、読取画像データを印刷する。
【０１０７】
（Ｂ−３）効果
以上のように、本実施形態では、第１の実施形態と同様の効果を奏すると共に、原稿読取のみ実施して得られた画像データを外部デバイスに記憶しておき、外部デバイスに記憶されている画像データに対しては、任意のタイミングで描画領域を指定して印刷することができる。
【０１０８】
（４−３）（利用形態）の説明
第１及び第２実施形態では、画像処理装置としているが、プリンタ、ＭＦＰ等の画像読取装置を備えた全ての装置に適用可能である。
【０１０９】
第２実施形態では、ディジタルカメラなど画像データを保持する撮像素子を外部デバイスとして適用可能である。
【０１１０】
本発明は、上述した各実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除等が可能である。
【符号の説明】
【０１１１】
１００：画像処理装置、１０１：画像データ入力部、１０２：通信部、１０３：画像記憶部、１０４：印刷部、１０５：設定記憶部、１０６：制御部、１０７：インターフェース部、２００：上位装置、２０１：通信部、２０２：画像記憶部、２０３：指定部、２０４：表示部、２０５：設定記憶部、２０６：制御部、３００：ＬＡＮ、４００：外部デバイス。
【図１】
2015029222.tif 000003
【図２】
2015029222.tif 000004
【図３】
2015029222.tif 000005
【図４】
2015029222.tif 000006
【図５】
2015029222.tif 000007
【図６】
2015029222.tif 000008
【図７】
2015029222.tif 000009
【図８】
2015029222.tif 000010
【図９】
2015029222.tif 000011
【図１０】
2015029222.tif 000012
【図１１】
2015029222.tif 000013
【図１２】
2015029222.tif 000014
【図１３】
2015029222.tif 000015
【図１４】
2015029222.tif 000016
【図１５】
2015029222.tif 000017
【図１６】
2015029222.tif 000018
【図１７】
2015029222.tif 000019
【図１８】
2015029222.tif 000020
【図１９】
2015029222.tif 000021
【図２０】
2015029222.tif 000022
【図２１】
2015029222.tif 000023
【図２２】
2015029222.tif 000024
【図２３】
2015029222.tif 000025
【図２４】
2015029222.tif 000026
【図２５】
2015029222.tif 000027
【図２６】
2015029222.tif 000028
【図２７】
2015029222.tif 000029
【図２８】
2015029222.tif 000030
【図２９】
2015029222.tif 000031
【図３０】
2015029222.tif 000032
【図３１】
2015029222.tif 000033
【図３２】
2015029222.tif 000034
【図３３】
2015029222.tif 000035
【図３４】
2015029222.tif 000036
【図３５】
2015029222.tif 000037
【図３６】
2015029222.tif 000038